(57)【要約】【課題】近接情報の更新を適切に行わせる技術を提供すること。【解決手段】  第１基地局に接続する第１ユーザ装置と、第２基地局に接続する第２ユーザ装置との間のリレー通信を提供するよう制御する移動通信ネットワークの制御装置は、第１ユーザ装置からリレー通信の確立要求を受付け、確立要求を受付けると、近接情報サーバから、第１ユーザ装置から所定の範囲に位置する１つ以上の第２ユーザ装置に関する情報を含む第１近接情報を取得し、第１近接情報に基づいて１つ以上の第２ユーザ装置から、第１ユーザ装置と第２ユーザ装置との間の無線品質情報を取得し、無線品質情報に基づいて、１つ以上の第２ユーザ装置の中からリレー通信を提供するリレー端末が存在するか否かを判定し、リレー端末が存在すると判定しない場合に、近接情報サーバに、第１近接情報とは異なる近接情報を要求する。【選択図】図１
2020096218.tif 000002
【特許請求の範囲】
【請求項１】
第１基地局に接続する第１ユーザ装置と、第２基地局に接続する第２ユーザ装置との間のリレー通信を提供するよう制御する移動通信ネットワークの制御装置であって、
前記第１ユーザ装置からリレー通信の確立要求を受付ける受付手段と、
前記確立要求を受付けると、近接情報サーバから、前記第１ユーザ装置から所定の範囲に位置する１つ以上の第２ユーザ装置に関する情報を含む第１近接情報を取得する第１取得手段と、
前記第１近接情報に基づいて１つ以上の前記第２ユーザ装置から、前記第１ユーザ装置と前記第２ユーザ装置との間の無線品質情報を取得する第２の取得手段と、
前記無線品質情報に基づいて、１つ以上の前記第２ユーザ装置の中から前記リレー通信を提供するリレー端末が存在するか否かを判定する判定手段と、
前記判定手段で、前記リレー端末が存在すると判定しない場合に、前記近接情報サーバに、前記第１近接情報とは異なる近接情報を要求する要求手段と、
を備えることを特徴とする制御装置。
【請求項２】
第１基地局に接続する第１ユーザ装置と第２基地局に接続する第２ユーザ装置との間のリレー通信を提供するよう制御する移動通信ネットワークの制御装置と通信する近接情報サーバであって、
前記第１ユーザ装置と前記第２ユーザ装置との間の近接度に関する情報を記憶する記憶手段と、
前記制御装置から前記第１ユーザ装置から所定の範囲に位置する１つ以上の第２ユーザ装置に関する情報の要求に応じて、第１近接情報を提供する提供手段と、
前記制御装置から第１近接情報を提供した後に、前記第１近接情報とは異なる第２近接情報の要求を受信する受信手段と、
を備えることを特徴とする近接情報サーバ。
【請求項３】
前記受信手段で前記第２近接情報の要求を受信すると、近接度の測定要求を送信する測定要求手段をさらに有することを特徴とする請求項２に記載の近接情報サーバ。
【請求項４】
前記近接度は、前記第１ユーザ装置と前記第２ユーザ装置との間の距離、および前記第１ユーザ装置が送信した報知信号の受信強度の少なくとも何れかに基づいて前記近接情報サーバが作成することを特徴とする請求項２または３に記載の近接情報サーバ。
【請求項５】
前記受信手段で前記第２近接情報の要求を受信すると、第２近接情報を提供するか否かを判定する第２の判定手段と、
前記第２近接情報を提供しないと判定すると、更新中断信号を送信する送信手段と、
をさらに有することを特徴とする請求項２乃至４の何れか１項に記載の近接情報サーバ。
【請求項６】
前記受信手段で前記第２近接情報の要求を受信すると、前記第１近接情報に含まれる第２ユーザ装置より、低い近接度を有する第２ユーザ装置に関する情報を含む第２近接情報を提供する提供手段をさらに有することを特徴とする請求項２乃至５の何れか１項に記載の近接情報サーバ。
【請求項７】
第１基地局に接続する第１ユーザ装置と、第２基地局に接続する第２ユーザ装置との間のリレー通信を提供する移動通信ネットワークであって、
前記第１ユーザ装置と前記第２ユーザ装置との間の近接度に関する情報を記憶する記憶手段と、
前記第１ユーザ装置から前記リレー通信の確立要求を受付ける受付手段と、
前記確立要求を受付けた場合に、前記記憶手段から、前記第１ユーザ装置から所定の範囲に位置する前記第２ユーザ装置に関する情報を含む第１近接情報を取得する第１取得手段と、
前記第１近接情報に基づいて前記第２ユーザ装置から、前記第１ユーザ装置と前記第２ユーザ装置との間の無線品質に関する無線品質情報を取得する第２取得手段と、
前記無線品質情報に基づいて、前記第２ユーザ装置のうちに前記リレー通信を提供させるリレー端末が存在するかを判定する判定手段と、
前記判定手段で、前記リレー端末が存在すると判定しない場合に、前記第１近接情報とは異なる第２近接情報を要求する要求手段と、
を備えることを特徴とする移動通信ネットワーク。
【請求項８】
請求項１に記載の制御装置としてコンピュータを機能させることを特徴とするプログラム。
【請求項９】
請求項２に記載の近接情報サーバとしてコンピュータを機能させることを特徴とするプログラム。
【発明の詳細な説明】
【技術分野】
【０００１】
本発明は、移動通信ネットワークにおけるユーザ装置を利用したリレー通信技術に関する。
【背景技術】
【０００２】
第五世代移動通信システム（５Ｇ）では、マクロセル基地局（大セル局）の制御のもとで、大容量通信が可能なスモールセル基地局（小セル局）に端末を収容する、Ｎｏｎ−ＳｔａｎｄＡｌｏｎｅ（ＮＳＡ）構成が想定されている。ＮＳＡ構成においては、小セル局の通信範囲外の端末のトラフィックを小セル局に収容するために、リレー通信が用いられる。リレー通信は、小セル局が提供するスモールセルには在圏していないが、大セル局が提供するマクロセルには在圏する端末（リモートユーザ装置）が、スモールセルに在圏する端末（候補ユーザ装置）のうちの少なくとも１つ（リレー端末）を介して小セル局にリレー接続することで実現される。これによって、大セル局が収容する端末の数を向上することができる。また、端末間の無線品質情報を考慮して、スモールセルに在圏する候補ユーザ装置の中からリレー端末を選択することで、リレー通信による小セル局へのトラフィック収容効果を高めることができる。
【０００３】
これまで、無線品質情報を考慮したリレー通信のためのリレー端末の選択方法として、リモートユーザ装置が報知信号を送信し、報知信号を受信した候補ユーザ装置からのフィードバック信号を受信し、リレー通信を確立するためのリレー端末を選択する方法が提案されている。しかしながら、都市部の混雑環境では、リモートユーザ装置が送信する報知信号や候補ユーザ装置からのフィードバック信号が衝突する確率が高くなり、リモートユーザ装置が効率的に無線品質情報を収集し、リレー端末を選択することが困難になる。
【０００４】
これに対して、無線品質情報を考慮したリレー通信のためのリレー端末の別の選択方法として、大セル局を含む移動通信ネットワークが、リモートユーザ装置が送信する報知信号や候補ユーザ装置が送信するフィードバック信号のための無線リソースを制御する中央制御が提案されている。これによって、報知信号やフィードバック信号の衝突を避けることが可能になるため、混雑環境でも無線品質情報を効率的に収集することができる。しかしながら、大セル局による無線品質情報収集のための無線リソース制御信号の送信は、大セル局の他の通信のためのリソースを共用するため、端末数によっては大セル局の通信リソースの大半を無線リソース制御信号が占有し、大セル局の通信性能を劣化させる可能性がある。
【０００５】
例えば非特許文献２では、ＬＴＥにおいて規定された近接情報（非特許文献１）を利用し、無線リソース制御信号の送信先をリモートユーザ装置の近接エリアに存在する候補ユーザ装置に限定することで、無線リソース制御信号の量を削減する手法が提案されている。これによれば、候補ユーザ装置にリモートユーザ装置の報知信号の測定を指示するＲａｄｉｏ  Ｒｅｓｏｕｒｃｅ  Ｃｏｎｔｒｏｌ  Ｒｅｃｏｎｆｉｇｕｒａｔｉｏｎ（ＲＲＣ  Ｒｅｃｏｎｆ）および候補ユーザ装置から当該測定結果を報告するＤｅｖｉｃｅ−ｔｏ−ｄｅｖｉｃｅ  Ｍｅａｓｕｒｅｍｅｎｔ  Ｒｅｐｏｒｔ（Ｄ２Ｄ  ＭＲ）のためのシグナリングを減少させることができる。
【先行技術文献】
【非特許文献】
【０００６】
【非特許文献１】３ＧＰＰ  ＴＳ２３．３０３；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｐｒｏｘｉｍｉｔｙ−ｂａｓｅｄ  ｓｅｒｖｉｃｅｓ（ＰｒｏＳｅ）；Ｓｔａｇｅ  ２  （Ｒｅｌｅａｓｅ １５）
【非特許文献２】北川  幸一郎、他、"５Ｇ端末間リレー通信における信号量削減手段に関する検討"、第２６回マルチメディア通信と分散処理ワークショップ論文集、９０−９６、２０１８年１０月３１日
【発明の概要】
【発明が解決しようとする課題】
【０００７】
しかしながら、リモートユーザ装置と候補ユーザ装置との位置に関する情報（近接度）の更新が遅い場合などには、移動通信ネットワークが保有している近接度と、実際のリモートユーザ装置と候補ユーザ装置との近接度が異なることがある。このような場合には、不正確な近接情報に含まれる候補ユーザ装置リストの中からリレー端末を選択することとなり、適切なリレー端末を選択できない場合がある。
【０００８】
本発明は、近接情報の更新を適切に行わせる技術を提供するものである。
【課題を解決するための手段】
【０００９】
本発明の一態様によると、第１基地局に接続する第１ユーザ装置と、第２基地局に接続する第２ユーザ装置との間のリレー通信を提供するよう制御する移動通信ネットワークの制御装置は、前記第１ユーザ装置からリレー通信の確立要求を受付ける受付手段と、前記確立要求を受付けると、近接情報サーバから、前記第１ユーザ装置から所定の範囲に位置する１つ以上の第２ユーザ装置に関する情報を含む第１近接情報を取得する第１取得手段と、前記第１近接情報に基づいて１つ以上の前記第２ユーザ装置から、前記第１ユーザ装置と前記第２ユーザ装置との間の無線品質情報を取得する第２の取得手段と、前記無線品質情報に基づいて、１つ以上の前記第２ユーザ装置の中から前記リレー通信を提供するリレー端末が存在するか否かを判定する判定手段と、前記判定手段で、前記リレー端末が存在すると判定しない場合に、前記近接情報サーバに、前記第１近接情報とは異なる近接情報を要求する要求手段と、を備えることを特徴とする。
【発明の効果】
【００１０】
本発明によると、近接情報の更新を適切に行わせる技術を提供することができる。
【図面の簡単な説明】
【００１１】
【図１】一実施形態に係る移動通信ネットワークを示す図。
【図２】一実施形態に係る近接度ベースのシグナリングを示すシーケンス図。
【図３】一実施形態に係る近接度ベースのシグナリングを示すシーケンス図。
【図４】第１の実施形態に係る近接情報更新処理のシーケンス図。
【図５】第２の実施形態に係る近接情報更新処理のシーケンス図。
【図６】第３の実施形態に係るマルチレイヤ近接度を示す図。
【図７】第３の実施形態に係る近接情報更新処理のシーケンス図。
【発明を実施するための形態】
【００１２】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１３】
＜ＰＦベース通信制御＞
図１は、本実施形態を説明するための移動通信ネットワークの構成図である。移動通信ネットワークは、構成要素として大セル局１０１、小セル局１１１および１１２、ネットワーク装置１２１、ならびにＰｒｏｘｉｍｉｔｙ−ｂａｓｅｄ  Ｓｅｒｖｉｃｅ（ＰｒｏＳｅ）  Ｆｕｎｃｔｉｏｎ  Ｓｅｒｖｅｒ（ＰＦＳ）１２２を含む。
【００１４】
大セル局１０１は、カバレッジ（マクロセル）１０２を有し、小セル局１１１または１１２を介してＰＦベース通信を制御するマクロ基地局である。小セル局１１１および１１２は、大セル局１０１と比較して小さいカバレッジ（スモールセル）１１３および１１４を有し、リレー通信を収容することが可能な５Ｇ対応のスモール基地局である。
【００１５】
ネットワーク装置１２１は、例えば大セル局１０１ならびに小セル局１１１および１１２に収容されるユーザ端末（ＵＥ）のモビリティ管理を司るＡｃｃｅｓｓ  ａｎｄ  Ｍｏｂｉｌｉｔｙ  Ｆｕｎｃｔｉｏｎ（ＡＭＦ）の機能を有する制御装置である。一例では、ネットワーク装置１２１は、セッション管理を司るＳｅｓｓｉｏｎ  Ｍａｎａｇｅｍｅｎｔ  Ｆｕｎｃｔｉｏｎ（ＳＭＦ）などの他の機能を有してもよい。ＰＦＳ１２２は、ＵＥ同士の近接度またはカバレッジエリア内のＵＥの位置を管理する近接情報サーバである。
【００１６】
ここで、ＵＥ１４１がリレー通信を行うために、移動通信ネットワークが、候補ユーザ装置であるＵＥ１３１および１３２からリレー端末を選択する動作を説明する。本明細書では、スモールセルの外に位置し、リレー通信を要求するＵＥをリモートユーザ装置（リモートＵＥ）、スモールセルに在圏し、リモートユーザ装置から所定の範囲に位置するＵＥを候補ユーザ装置（候補ＵＥ）と称する。また、リモートユーザ装置にリレー通信を提供するＵＥをリレー端末と称する。
【００１７】
ＵＥ１３１および１３３は、小セル局１１１のカバレッジ１１３内に位置するＵＥであり、ＵＥ１３２および１３４は、小セル局１１２のカバレッジ１１４内に位置するＵＥである。ＵＥ１３１および１３２は、リモートＵＥ１４１の近接範囲１４２内に位置する。すなわち、ＵＥ１３１は小セル局１１１が提供するスモールセル１１３に、ＵＥ１３２は小セル局１１２が提供するスモールセル１１４に在圏する候補ユーザ装置である。
【００１８】
ＵＥ１４１は、大セル局１０１のマクロセル１０２内には位置するが、スモールセル１１３および１１４内には位置しないリモートユーザ装置である。
【００１９】
図２において、大セル局１０１、小セル局１１１および１１２、ならびにネットワーク装置１２１を結ぶ実線と、ネットワーク装置１２１およびＰＦＳ１２２を結ぶ実線とは、移動通信ネットワークの構成要素間を接続する通信線を示している。なお、図２においては、図の簡略化のため、その他の通信線または構成要素は示していない。例えば、小セル局は２つより多くてもよいし、１つのネットワーク装置１２１が２つ以上の大セル局１０１に接続されてもよい。
【００２０】
また、ネットワーク装置１４は、１つの装置ではなく、複数の場所に分散配置される、複数の装置により実現することもできる。なお、本発明は、５Ｇシステムに限定されるものではなく、任意の規格による移動通信システムに適用することができる。
【００２１】
ここで、図２を参照して、移動通信ネットワークがリレー通信を制御するシーケンスについて説明する。
【００２２】
まず、Ｓ２０１で、リモートＵＥ１４１は、大セル局１０１にリレー通信セッションの確立または切替を依頼する確立要求（セッションリクエスト）を送信する。確立要求を受付けた大セル局１０１は、Ｓ２０２でネットワーク装置１２１に、当該リクエストを転送する。
【００２３】
Ｓ２０３で、セッションリクエストを受信したネットワーク装置１２１は、ＰＦＳ１２２に近接情報リクエスト（Ｐｒｏｘｉｍｉｔｙ  Ｉｎｆｏｒｍａｔｉｏｎ  Ｒｅｑｕｅｓｔ）を送信する。近接情報リクエストを受信したＰＦＳ１２２は、Ｓ２０４で、近接情報応答（Ｐｒｏｘｉｍｉｔｙ  Ｉｎｆｏｒｍａｔｉｏｎ  Ｒｅｓｐｏｎｓｅ）として、セッションリクエストを送信したリモートＵＥ１４１から所定の範囲（例えば図１の近接範囲１４５）内に位置する候補ユーザ装置に関する情報をネットワーク装置１２１に送信する。
【００２４】
つづいて、Ｓ２０５で、ネットワーク装置１２１は、大セル局１０１にＳ２０４で受信した近接情報応答に含まれる候補ユーザ装置にＲａｄｉｏ  Ｒｅｓｏｕｒｃｅ  Ｃｏｎｔｒｏｌ  Ｒｅｃｏｎｆｉｇｕｒａｔｉｏｎ（ＲＲＣ  Ｒｅｃｏｎｆ）信号を送信するよう指示する。ＲＲＣ  Ｒｅｃｏｎｆ信号の送信指示を受信した大セル局１０１は、Ｓ２０６で、候補ユーザ装置１３１および１３２に、直接または小セル局１１１および１１２を介して、ＲＲＣ  Ｒｅｃｏｎｆ信号を送信する。ＲＲＣ  Ｒｅｃｏｎｆ信号には、リモートＵＥ１４１から報知信号が送信される無線リソース、および候補ユーザ装置から大セル局１０１に無線品質情報を送信するための無線リソースの少なくとも何れかを示す情報が含まれる。ＲＲＣ  Ｒｅｃｏｎｆ信号を受信した候補ユーザ装置１３１および１３２は、リモートＵＥ１４１から送信される報知信号をＳ２０７で受信する。すなわち、Ｓ２０６で送信されるＲＲＣ  Ｒｅｃｏｎｆ信号は、候補ユーザ装置に対するリモートユーザ装置と候補ユーザ装置との間の無線品質の測定要求である。続いてＳ２０８で候補ユーザ装置１３１、１３２は大セル局１０１に、リモートＵＥ１４１と候補ユーザ装置１３１および１３２のそれぞれとの間の無線品質に関する情報を含むＤｅｖｉｃｅ−ｔｏ−ｄｅｖｉｃｅ  Ｍｅａｓｕｒｅｍｅｎｔ  Ｒｅｐｏｒｔ（Ｄ２Ｄ  ＭＲ）信号を送信する。ＲＲＣ  Ｒｅｃｏｎｆ信号とＤ２Ｄ  ＭＲ信号は、データ送信を行う無線リソース領域（Ｓｈａｒｅｄ  ｃｈａｎｎｅｌ）において端末単位で送信される。
【００２５】
Ｄ２Ｄ  ＭＲ信号を受信した大セル局１０１は、Ｓ２０８で受信したＤ２Ｄ  ＭＲに基づいて、Ｓ２０９でＤ２Ｄ  ＭＲを含むＲｅｌａｙ  ＵＥ  Ｒｅｐｏｒｔをネットワーク装置１２１に送信する。
【００２６】
以降、ネットワーク装置１２１は、受信したＲｅｌａｙ  ＵＥ  Ｒｅｐｏｒｔに基づいてリレー通信を提供するためのリレー端末を選択し、大セル局１０１にリレー端末に関する情報をＳ２１０で送信する。大セル局１０１は、選択されたリレー端末に対してＲｅｌａｙ  ＵＥ  Ｃｏｎｆｉｇｕｒａｔｉｏｎ信号をＳ２１１で送信する。リレー端末は、リモートＵＥ１４１とＳ２１２で通信を確立し、Ｓ２１３でリレー通信を行う。
【００２７】
以上説明したように、近接度に基づいて、限られた数の候補ユーザ装置とＲＲＣ  Ｒｅｃｏｎｆ信号およびＤ２Ｄ  ＭＲ信号を送受信することで、移動通信ネットワークはシグナリングを削減しつつ、候補ユーザ装置の中からリレー端末を選択し、リモートユーザ装置に対してリレー通信を提供することができる。
【００２８】
ここで、ＰＦＳ１２２がネットワーク装置１２１に提供する近接情報が古い場合、リモートＵＥ１４１が移動してリモートＵＥ１４１と候補ユーザ装置との間の無線品質が大きく変化し、移動通信ネットワークはリモートＵＥ１４１にリレー通信を提供するためのリレー端末を選択できないことがある。ここで、図３を参照して、ＰＦＳ１２２が図２のＳ２０４で提供する近接情報応答に含まれる候補ユーザ装置とリモートＵＥ１４１との間の無線品質が変化し、大セル局１０１がリレー端末を選択できない場合に生じうる処理について説明する。なお、図２と同様の処理については説明を省略する。
【００２９】
Ｓ２０４で、ＰＦＳ１２２が提供する近接情報応答に含まれる候補ユーザ装置と、リモートＵＥ１４１との間の無線環境が大きく変化した場合、Ｓ２０７で、候補ユーザ装置はリモートＵＥ１４１からの報知信号を受信できなくてもよい。このような場合、候補ユーザ装置は、報知信号を検出するまで待機するため、Ｓ２０８でのＤ２Ｄ  ＭＲ信号を送信しない。あるいは、候補ユーザ装置は、Ｓ２０６で指示されたＲＲＣ  Ｒｅｃｏｎｆで報知信号を検出しなかったことを通知するＤ２Ｄ  ＭＲ信号を送信する。
【００３０】
続いて、大セル局１０１は、リレー端末を選択するため必要な情報が集まらなかったことを示す通知をネットワーク装置１２１に送信する。あるいは、大セル局１０１は、全ての候補ユーザ装置からＤ２Ｄ  ＭＲを受信するまでＳ３０９の通知を保留する。
【００３１】
ネットワーク装置１２１は、Ｓ２０５でＲＲＣ  Ｒｅｃｏｎｆを送信して所定期間内にリレー通信を提供するためのリレー端末を選択可能な情報を大セル局１０１から受信しない場合、あるいは、候補ユーザ装置から無線品質情報が集まらなかったことを示す通知をＳ３０９で受信した場合、Ｓ３１０で大セル局１０１に、セッションリクエストを却下するＳｅｓｓｉｏｎ  ｅｓｔａｂｌｉｓｈｍｅｎｔ  ｆａｉｌｕｒｅ（セッション確立失敗）信号を送信する。セッション確立失敗信号を受信した大セル局１０１は、Ｓ３１１で、リモートＵＥ１４１にリレー通信の確立処理を停止することを通知する。
【００３２】
＜第１の実施形態＞
図４を参照し、リレー通信を提供できないと判断したネットワーク装置１２１がリモートユーザ装置１２１の近接情報の更新をトリガするためのリカバリ信号を送信する第１の実施形態を説明する。なお、図２および図３と同様の処理については同じ参照符号を使用し、説明を省略する。
【００３３】
Ｓ２０１で、リモートＵＥ１４１がセッションリクエストを送信したが、Ｓ２０４でＰＦＳ１２２が不正確な近接情報を提供したため、Ｓ３０９で大セル局からネットワーク装置に、候補ユーザ装置から無線品質情報が集まらなかったことを示す通知が送信された場合について説明する。
【００３４】
この場合、本実施形態に係るネットワーク装置１２１は、Ｓ４１０で、ＰＦＳ１２２にリカバリ信号を送信する。ＰＦＳ１２２は、リカバリ信号を受信することで、リレー端末を選択するために異なる近接情報を要求されていると判定する。この場合、ＰＦＳ１２２は、近接情報を更新する必要があると判定する。
【００３５】
リカバリ信号を受信したＰＦＳ１２２は、Ｓ４１１で大セル局１０１に、近接度測定リクエストを送信する。大セル局１０１は、Ｓ４１２で、リモートＵＥ１４１を少なくとも含むマクロセル内のＵＥに、近接度の測定を指示する。続いて、大セル局１０１は、Ｓ４１３で近接度の測定を指示したＵＥからＤ２Ｄ  ＭＲを受信し、Ｓ４１４でＰＦＳ１２２に最新の近接情報を送信する。Ｓ４１４で大セル局１０１から受信したＰＦＳ１２２は近接情報を更新し、Ｓ２０４と同様にネットワーク装置１２１に更新後の近接情報を提供し、リレー通信を提供するためのリレー端末を選択するためのＳ２０５〜Ｓ２０８の処理を実行させる。なお、Ｓ４１４で大セル局１０１はＰＦＳ１２２に最新の近接情報を作成するために必要な情報を送信し、ＰＦＳ１２２は、受信した情報に基づいて近接情報を生成してもよい。
【００３６】
以上説明したように、ネットワーク装置１２１は、リレー端末の選択が失敗した場合、ＰＦＳ１２２が近接情報を取得した後にＵＥが移動し、無線環境が変化したと判定し、ＰＦＳ１２２にリカバリ信号を送信する。ＦＳ１２２に近接情報を更新させ、更新後の近接情報を提供させることで、リレー通信を提供するリレー端末を選択することができる。
【００３７】
＜第２の実施形態＞
第１の実施形態では、ＰＦＳ１２２は、ネットワーク装置１２１から、リレー端末の選択が失敗したため異なる近接情報を要求することを示すリカバリ信号を受信することで近接情報を更新することができる。第２の実施形態では、図５を参照し、ネットワーク装置１２１からリカバリ信号を受信し、近接情報を更新するか否かを判定するＰＦＳ１２２について説明する。なお、図２〜図４と同様の処理については同じ参照符号を使用し、説明を省略する。
【００３８】
Ｓ４１０で、ネットワーク装置１２１からリカバリ信号を受信したＰＦＳ１２２は、Ｓ５１１に処理を進め、近接情報の更新が必要であるかを判定する処理（更新判定処理）を行う。
【００３９】
一例では、更新判定処理は、所定の時間内であるか否かに基づいて、更新判定処理を行う。例えば、ＰＦＳ１２２は、直前に近接情報を更新してから１秒以上経過している場合、ＰＦＳ１２２は近接情報の更新が必要であると判定してもよい。また、直前に近接情報を更新してから１秒以上が経過していない場合は、近接度には変化がなく、雑音強度などのＵＥの周辺の無線環境に由来してリレー端末の選択が失敗したと判断し、近接情報の更新は不要であると判定してもよい。
【００４０】
また、一例では、更新判定処理は、リモートＵＥ１４１ならびに候補ユーザ装置１３１および１３２の速度または相対速度に基づいて行われる。例えば、ＵＥは、Ｄ２Ｄ  ＭＲに自身の速度を含めて大セル局１０１に送信してもよい。このような場合、大セル局１０１は、リカバリ信号に含めて、マクロセル内のＵＥのいずれかの速度に関する情報をＰＦＳ１２２に送信してもよい。ＰＦＳ１２２は、受信した速度に関する情報に基づいて、もしマクロセル内のリモートユーザ装置が所定の速度以上である場合には、近接情報の更新は不要であると判定し、所定の速度未満である場合には、近接情報の更新が必要であると判定してもよい。また、ＰＦＳ１２２は、マクロセル内の候補ユーザ装置が所定の速度以上である場合には、当該候補ユーザ装置にＲＲＣ  Ｒｅｃｏｎｆ信号が送信され、所定の速度未満である場合には、ＲＲＣ  Ｒｅｃｏｎｆ信号が送信されないよう近接情報応答を変更してもよい。すなわち、Ｓ５１１では、それぞれのＵＥについて近接情報の更新の必要性が判定されてもよい。
【００４１】
Ｓ５１１で、ＰＦＳ１２２が、近接情報の更新が可能であると判定した場合、図４のＳ４１１〜Ｓ４１４を参照して説明した処理と同様の処理によって、ＰＦＳ１２２は近接情報を更新する。一方、Ｓ５１１で、ＰＦＳ１２２が近接情報の更新が不要であると判定した場合、Ｓ５１２で、ＰＦＳ１２２は大セル局１０１に近接情報の更新の却下を通知する更新中断信号を送信する。Ｓ５１２で更新中断信号を受信した大セル局１０１は、リモートＵＥ１４１に更新中断信号を送信する。
【００４２】
＜第３の実施形態＞
第１および第２の実施形態では、リレー通信を提供するために、近接範囲内に位置するリレー端末を選択できない場合には、近接情報を更新することができる。一例では、リレー通信を提供するためのリレー端末を選択できない場合、近接範囲を変更して、変更した近接範囲内に位置する候補ユーザ装置のうちからリレー端末を選択できるか判定してもよい。第３の実施形態では、リレー端末を選択するまで近接範囲を広げることで、候補ユーザ装置の数を増減させることが可能な移動通信ネットワークの動作について説明する。
【００４３】
図６を参照して、複数レイヤからなる近接範囲について説明する。図６では、リモートＵＥ１４１からの近接度として、レイヤ６０１〜６０４に示す４つのレイヤが設定される。レイヤ６０１がリモートＵＥ１４１に最も近く、レイヤ６０２、６０３、６０４の順番でリモートＵＥ１４１から離れる。なお、リモートＵＥ１４１との近さとは、物理的な距離に限らず、電波損失またはＲＳＳＩなどにしたがって決められてもよく、したがってレイヤ６０１〜６０４は円状ではなくてもよい。
【００４４】
例えば、リモートＵＥ１４１が送信する報知信号の受信強度が、−３０  ｄＢｍより大きいＵＥはレイヤ６０１に属し、−３０  ｄＢｍ以下かつ−４０  ｄＢｍより大きいＵＥはレイヤ６０２に属する候補ユーザ装置である。また、報知信号の受信強度が、−４０  ｄＢｍ以下かつ−５０  ｄＢｍより大きいＵＥはレイヤ６０３に属し、−５０  ｄＢｍ以下かつ−６０  ｄＢｍより大きいＵＥはレイヤ６０４に属する候補ユーザ装置である。−６０  ｄＢｍ以下のＵＥは候補ユーザ装置ではない。
【００４５】
次に、図７を参照して、複数レイヤを有する近接範囲からリレー端末を選択するための処理を説明する。なお、図２〜図５と同様の処理については、同じ参照符号を使用し、説明を省略する。
【００４６】
まず、Ｓ２０３で近接情報リクエストを受信したＰＦＳ１２２は、Ｓ７０４で、最も狭いレイヤ（例えば図６のレイヤ６０１）内に存在する候補ユーザ装置に関する近接情報を大セル局１０１に送信する。
【００４７】
その後、Ｓ３０９でリレー端末の選択が失敗したことの通知を受けたネットワーク装置は、Ｓ４１０でリレー端末の選択が失敗したことを通知するリカバリ信号をＰＦＳ１２２に送信する。Ｓ７１１で、ＰＦＳ１２２は、２番目に狭いレイヤ（例えば図６のレイヤ６０２）内に存在する候補ユーザ装置に関する近接情報を大セル局１０１に送信する。Ｓ７１２〜Ｓ７１５の処理は、Ｓ２０５〜Ｓ２０８と同様であるため説明を省略する。
【００４８】
なお、図６に示すように、レイヤ６０２に候補ユーザ装置が存在しない場合には、ＰＦＳ１２２は、レイヤ６０２の近接情報を送信することなく、レイヤ６０３に属する候補ユーザ装置の近接情報を送信してもよい。
【００４９】
また、一例では、候補ユーザ装置の台数の観点から、ＰＦＳ１２２はレイヤを設定してもよい。例えば、Ｓ２０３で近接情報要求を受信したＰＦＳ１２２は、大セル局がＲＲＣ  Ｒｅｃｏｎｆ信号を送信する候補ユーザ装置の数が１０以下となるよう、例えばリモートＵＥ１４１への近接度が高い順に、１０個の候補ユーザ装置についての近接情報応答をＳ７０４で送信してもよい。その後、Ｓ４１０でネットワーク装置１２１からリカバリ信号を受信したＰＦＳ１２２は、リモートＵＥ１４１への近接度が高い順に、２０個の候補ユーザ装置の近接情報応答をＳ７１１で送信してもよい。
【００５０】
これによって、ＲＲＣ  Ｒｅｃｏｎｆ信号を送信する候補ユーザ装置の数を制限することができる。
【００５１】
以上説明したように、本実施形態によれば、リレー通信を提供するためのリレー端末が選択できなかった場合には、近接範囲を変化させることで候補ユーザ装置の数を増減させることができる。
【００５２】
＜その他の実施形態＞
第１〜第３の実施形態は、任意に組み合わせることができる。例えば、リカバリ信号を受信したＰＦＳ１２２は、近接情報を更新するか、リレー端末を選択するための近接範囲を変化させるかを判定してもよい。
【００５３】
なお、本発明によるネットワーク装置１２１およびＰＦＳ１２２の少なくとも何れかは、１つの装置として実現することも、ネットワークを介して相互に通信できる複数の装置により実現することもできる。また、ネットワーク装置１２１およびＰＦＳ１２２の少なくとも何れかは、コンピュータを上記ネットワーク装置１２１およびＰＦＳ１２２の少なくとも何れかとして動作させるプログラムにより実現することができる。これらコンピュータプログラムは、コンピュータが読み取り可能な記憶媒体に記憶されて、又は、ネットワーク経由で配布が可能なものである。
【符号の説明】
【００５４】
１０１：大セル局、１０２：マクロセル、１１１，１１２：小セル局、１１３，１１４：スモールセル、１２１：ネットワーク装置、１２２：ＰＦＳ、１３１，１３２，１３３，１３４，１４１：ＵＥ、１４２：近接範囲
【図１】
2020096218.tif 000003
【図２】
2020096218.tif 000004
【図３】
2020096218.tif 000005
【図４】
2020096218.tif 000006
【図５】
2020096218.tif 000007
【図６】
2020096218.tif 000008
【図７】
2020096218.tif 000009